(57)【要約】【課題】折板屋根の屋根面に設置するための有効適切な安全設備を提供する。【解決手段】少なくとも一対二台の支柱２が間隔をおいて配置されてそれら支柱の上端部相互間に親綱９が架設される。支柱は同一形状かつ同一寸法の一組三本の脚体３が三脚状に組み合わせられて、それら脚体の上端部どうしが相対回転可能かつ分解可能な状態で連結され、脚体の下端部がそれぞれ折板屋根１のハゼ部１ａに対して固定金具８を介して取り外し可能な状態で連結される。脚体は金属製の帯板を素材として形成され、その上端部および下端部に、それぞれ鋼板どうしを連結するための上部連結片と折板屋根に対して連結するための下部連結片が折り曲げられて形成され、下部連結片および本体部には補剛リブが形成されている。【選択図】図１
2014198989.tif 000002
【特許請求の範囲】
【請求項１】
折板屋根の屋根面に設置される安全設備であって、
少なくとも一対二台の支柱が間隔をおいて配置されてそれら支柱の上端部相互間に親綱が架設可能とされ、
前記支柱は同一形状かつ同一寸法の一組三本の脚体が三脚状に組み合わせられて、それら脚体の上端部どうしが相対回転可能かつ分解可能な状態で連結可能とされ、
前記脚体の下端部がそれぞれ前記折板屋根に固定金具を介して取り外し可能な状態で連結可能とされていることを特徴とする折板屋根用の安全設備。
【請求項２】
請求項１記載の折板屋根用の安全設備であって、
落下養生用のネットが前記親綱により支持されて前記支柱の間に展開された状態で設置可能とされていることを特徴とする折板屋根用の安全設備。
【請求項３】
折板屋根の屋根面に設置される安全設備であって、
少なくとも一対二台の支柱架台が間隔をおいて配置されてそれら支柱架台の間に親綱が架設可能とされ、
前記支柱架台は、同一形状かつ同一寸法の一組三本の脚体が三脚状に組み合わせられてそれら脚体の上端部どうしが相対回転可能かつ分解可能な状態で連結された支柱を構成要素として、該支柱が二台一組として近接して配置されてそれら支柱の上端部相互間に腕木の基端部が取り外し可能な状態で連結可能とされた構成とされ、
前記支柱架台を構成している前記支柱における前記脚体の下端部がそれぞれ前記折板屋根に固定金具を介して取り外し可能な状態で連結可能とされ、
前記親綱が前記腕木の先端部相互間に架設可能とされていることを特徴とする折板屋根用の安全設備。
【請求項４】
請求項３記載の折板屋根用の安全設備であって、
落下養生用のネットが前記親綱により支持されて前記支柱架台の間に展開された状態で設置可能とされていることを特徴とする折板屋根用の安全設備。
【請求項５】
請求項１，２，３または４記載の折板屋根用の安全設備であって、
前記支柱を構成する脚体は、上端部が上部連結片とされ、下端部が下部連結片とされ、それら上部連結片と下部連結片との間が本体部とされる金属製の帯板を素材として形成され、
前記上部連結片は前記帯板の上端部が裏面側に折り曲げられることによって形成されているとともに、該上部連結片には他の脚体を連結するための上部連結孔が形成され、
前記下部連結片は前記帯板の下端部が表面側に折り曲げられることによって形成されているとともに、該下部連結片には前記固定金具を連結するための下部連結孔が形成され、
前記下部連結片および前記上部連結片は、前記脚体が前記折板屋根の屋根面に設置された状態において水平状態となるように、それぞれ前記本体部に対して逆方向に同一角度傾斜する状態で形成されていることを特徴とする折板屋根用の安全設備。
【請求項６】
請求項５記載の折板屋根用の安全設備であって、
前記本体部、あるいは前記本体部と前記下部連結片には、前記帯板の両側縁部が表面側に折り起こされることによって補剛リブが形成されていることを特徴とする折板屋根用の安全設備。
【発明の詳細な説明】
【技術分野】
【０００１】
本発明は、折板屋根の屋根面において各種作業を実施するに際して墜落防止や落下養生を目的として軒先近傍位置に設置される安全設備に関する。
【背景技術】
【０００２】
この種の安全設備としては特許文献１，２に示されるものが知られている。
これらはいずれも折板屋根の屋根面に支柱を自立状態で立設するとともに、その支柱を二方向から控え支柱あるいは斜めサポートにより支持して転倒を防止するようにしたうえで、支柱間に親綱としてのロープを架設する構成のものである。
【先行技術文献】
【特許文献】
【０００３】
【特許文献１】実開平１−１１９７４３号公報
【特許文献２】特開２００９−２２８２０９号公報
【発明の概要】
【発明が解決しようとする課題】
【０００４】
上記従来の安全設備は、支柱の他に控え支柱あるいは斜めサポートを用いるので全体として部品点数が多く、そのためコスト高であるし、設置や撤去のための作業も必ずしも簡単ではなく、しかも見栄えがあまり良くないものであり、広く普及するに至っていない。
【０００５】
上記事情に鑑み、本発明は折板屋根の屋根面に設置するための有効適切な安全設備を提供することを目的とする。
【課題を解決するための手段】
【０００６】
請求項１記載の発明は、折板屋根の屋根面に設置される安全設備であって、少なくとも一対二台の支柱が間隔をおいて配置されてそれら支柱の上端部相互間に親綱が架設可能とされ、前記支柱は同一形状かつ同一寸法の一組三本の脚体が三脚状に組み合わせられて、それら脚体の上端部どうしが相対回転可能かつ分解可能な状態で連結可能とされ、前記脚体の下端部がそれぞれ前記折板屋根に固定金具を介して取り外し可能な状態で連結可能とされていることを特徴とする。
【０００７】
請求項２記載の発明は、請求項１記載の折板屋根用の安全設備であって、落下養生用のネットが前記親綱により支持されて前記支柱の間に展開された状態で設置可能とされていることを特徴とする。
【０００８】
請求項３記載の発明は、折板屋根の屋根面に設置される安全設備であって、少なくとも一対二台の支柱架台が間隔をおいて配置されてそれら支柱架台の間に親綱が架設可能とされ、前記支柱架台は、同一形状かつ同一寸法の一組三本の脚体が三脚状に組み合わせられてそれら脚体の上端部どうしが相対回転可能かつ分解可能な状態で連結された支柱を構成要素として、該支柱が二台一組として近接して配置されてそれら支柱の上端部相互間に腕木の基端部が取り外し可能な状態で連結可能とされた構成とされ、前記支柱架台を構成している前記支柱における前記脚体の下端部がそれぞれ前記折板屋根に固定金具を介して取り外し可能な状態で連結可能とされ、前記親綱が前記腕木の先端部相互間に架設可能とされていることを特徴とする。
【０００９】
請求項４記載の発明は、請求項３記載の折板屋根用の安全設備であって、落下養生用のネットが前記親綱により支持されて前記支柱架台の間に展開された状態で設置可能とされていることを特徴とする。
【００１０】
請求項５記載の発明は、請求項１，２，３または４記載の折板屋根用の安全設備であって、前記支柱を構成する脚体は、上端部が上部連結片とされ、下端部が下部連結片とされ、それら上部連結片と下部連結片との間が本体部とされる金属製の帯板を素材として形成され、前記上部連結片は前記帯板の上端部が裏面側に折り曲げられることによって形成されているとともに、該上部連結片には他の脚体を連結するための上部連結孔が形成され、前記下部連結片は前記帯板の下端部が表面側に折り曲げられることによって形成されているとともに、該下部連結片には前記固定金具を連結するための下部連結孔が形成され、前記下部連結片および前記上部連結片は、前記脚体が前記折板屋根の屋根面に設置された状態において水平状態となるように、それぞれ前記本体部に対して逆方向に同一角度傾斜する状態で形成されていることを特徴とする。
【００１１】
請求項６記載の発明は、請求項５記載の折板屋根用の安全設備であって、前記本体部、あるいは前記本体部と前記下部連結片には、前記帯板の両側縁部が表面側に折り起こされることによって補剛リブが形成されていることを特徴とする。
【発明の効果】
【００１２】
本発明の折板屋根用の安全設備は、三本の同一形状・同一寸法の脚体を三脚状に組み合わせて支柱を構成し、その支柱における各脚体の下端部を折板屋根のハゼ部などに固定することで少なくとも一対二台の支柱を間隔をおいて設置し、それら支柱の上端部相互間に親綱を架設するものであるので、折板屋根の屋根面に容易に設置可能かつ容易に撤去可能であり、極めて簡易かつ安価な設備でありながら屋根面で各種作業を行う際の作業安全性を充分に確保することが可能である。
【図面の簡単な説明】
【００１３】
【図１】本発明の第１実施形態である安全設備を示す図であって、（ａ）は設置状態を示す全体図、（ｂ）は部分正面図である。
【図２】同、支柱の構成要素である脚体を示す図であって、（ａ）は正面図、（ｂ）は左側面図、（ｃ）は右側面図、（ｄ）は上面図、（ｅ）は底面図、（ｆ）は断面図（（ａ）におけるｆ−ｆ線視図））である。
【図３】同、脚体の展開図である。
【図４】同、３枚の脚体を重ねた状態を示す図であって、（ａ）は横置きした状態を示す全体図、（ｂ）は断面図である。
【図５】同、屋根面に対する脚体の下端部の連結状態を示す図であり、（ａ）は斜視図、（ｂ）は正面図、（ｃ）は側面図である。
【図６】本発明の第２実施形態である安全設備を示すであって、（ａ）、（ｂ）はいずれも設置状態を示す全体図である。
【図７】本発明の第３実施形態である安全設備の支柱を示す図であって、（ａ）は正面図、（ｂ）は上面図、（ｃ）は（ｂ）に対応した側面図である。
【図８】本発明の第３実施形態である安全設備の支柱の構成要素である脚体を示す図であって、（ａ）は正面図、（ｂ）は左側面図、（ｃ）は右側面図、（ｄ）は上面図、（ｅ）は底面図、（ｆ）は断面図（（ａ）におけるｆ−ｆ線視図））である。
【図９】同、脚体の展開図である。
【発明を実施するための形態】
【００１４】
本発明の折板屋根用の安全設備の第１実施形態を図１〜図５を参照して説明する。
本実施形態の安全設備は、折板屋根１の屋根面において各種作業を実施するに際して墜落防止や落下養生のために軒先近傍位置に設置されるものであって、図１（ａ）に示すように一対二台の支柱２を適宜の間隔（たとえば５ｍ程度）をおいて設置して、それら支柱２の上端部相互間に親綱９を架設可能としたものであり、特に支柱２の構成に特徴を有するものである。
【００１５】
すなわち、本実施形態の安全設備は、上記の支柱２として同一形状かつ同一寸法の一組三本の脚体３を三脚状に組み合わせてそれら脚体３の上端部どうしを相対回転可能かつ分解可能な状態で連結可能とした構成のものであり、図５に示すようにそれら脚体３の下端部をそれぞれ折板屋根１（本実施形態では折板屋根１のハゼ部１ａ）に対して固定金具８を介して取り外し可能な状態で連結することによって、これら脚体３により構成される三脚としての支柱２を折板屋根１上に設置可能としたことを主眼としている。
【００１６】
支柱２を構成する脚体３について図２〜図４を参照して説明する。
図２（ａ）〜（ｆ）に正面図、左側面図、右側面図、上面図、底面図、断面図を示し、図３に展開図を示しているように、本実施形態における脚体３は金属製の帯板（たとえば厚さ１ｍｍ以上、好ましくは厚さ１．２ｍｍ、２．３ｍｍの鋼板（亜鉛メッキ鋼板、ガルバリウム鋼板など）が好適に採用可能である）を素材として形成されたもので、その上端部が上部連結片３ｂとされ、下端部が下部連結片３ｃとされ、それら上部連結片３ｂと下部連結片３ｃとの間が本体部３ａとされているものである。
上部連結片３ｂは素材としての帯板の上端部が裏面側に所定角度折り曲げられて形成されているとともに、その上部連結片３ｂには他の脚体３を連結するための連結金具７が挿通される上部連結孔４が形成されている。
下部連結片３ｃは帯板の下端部が表面側に所定角度折り曲げられて形成されているとともに、その下部連結片３ｃには固定金具８を連結するための下部連結孔５が形成されている。
【００１７】
上部連結片３ｂおよび下部連結片３ｃは、３本の脚体３を三脚状に組み合わせて折板屋根１の屋根面に設置した状態において上部連結片３ｂおよび下部連結片３ｃがいずれも水平状態となり、それにより本体部３ａが鉛直面に対して所定角度をなす状態で設置されるように、それぞれ本体部３ａに対して逆方向に同一角度傾斜する状態で形成されている。
そして、上記の脚体３における上部連結片３ｂと下部連結片３ｃとの間の本体部３ａ、および下部連結片３ｃには、それぞれ帯板の両側縁部が表面側に折り起こされることによって補剛リブ６が形成されている。
【００１８】
なお、脚体３における本体部３ａに対する上部連結片３ｂと下部連結片３ｃの傾斜角度θ１（図２（ａ）参照）は、上記のようにこの脚体３により構成される三脚としての支柱２を屋根面に設置した際に上部連結片３ｂおよび下部連結片３ｃがいずれも水平状態となるように適宜設定すれば良く、その限りにおいて傾斜角度θ１は特に限定されないがたとえばθ１＝１２０°程度（本実施形態では１２２°）とすることが好ましい。
また、本体部３ａおよび下部連結片３ｃに対して補剛リブ６を形成するために帯板の両側縁部を折り起こす角度θ２（図２（ｆ）参照）は、本体部３ａおよび下部連結片３ｃが所望の剛性を有するものとなるように適宜設定すれば良いが、たとえばθ２＝１２０°程度（本実施形態では１１３°、あるいは１２０°）とすると良い。
【００１９】
脚体３をそのような形状としておくと、それら脚体３の上端部どうしを連結金具７により連結することのみで三脚状の支柱２を容易に組み立てることができるし、連結金具７を取り外すことのみで支柱２を個々の脚体３に容易に解体可能である。
しかも、それぞれの脚体３は単なる帯板を素材として形成された同一形状、同一寸法の軽量かつコンパクトなものであって安価に製作可能であるし、連結金具７を緩めた状態ではその連結金具７を支点として脚体３を回転させることで図４（ａ）、（ｂ）に示すように全体を１本に重ね合わせることができるから、その状態で容易に持ち運び可能かつ収納・保管可能であって極めて便利であり合理的である。
【００２０】
本実施形態の安全設備を設置するに際しては、３本の脚体３を三脚状に組み合わせてそれらの上部連結片３ｂを互いに重ね合わせてそれぞれの上部連結孔４の位置を合致させ、そこに連結金具７を挿通してボルト締結することにより三脚としての支柱２を組み立てる。
なお、連結金具７としては，図示例のように親綱９を架設するための金具を兼用し得る汎用のアイボルトが好適に採用可能であるが、それに限らずたとえば単なるボルト等の適宜の金具を用いることでも良い。
また、支柱２を組み立てる際には各脚体３が平面視において可及的に等間隔になるように（相互に１２０度の角度をなすように）それぞれの脚体の位置を位置決めすることが好ましいが、必要であればハゼ部１ａの位置に応じて各脚体３の位置を微調整すれば良く、その際には上部連結片３ｂを連結している連結金具７を緩めてそれを支点として所望の脚体３を水平面内において回転させて所望の脚体３の下部連結片３ｃを固定するべきハゼ部１ａの位置に導けば良い。
【００２１】
そして、各脚体３の下端部の下部連結片３ｃを図５に示すように固定金具８を用いて折板屋根１のハゼ部１ａに対して取り外し可能に連結することにより、この支柱２を折板屋根１の所定位置たとえば軒先近傍位置に自立状態で設置する。そのための固定金具８としては折板屋根１に対して各種の部材を取り付けるための各種の汎用市販品を任意に採用可能である。
また、支柱２は、折板屋根１（折板屋根１の軒先）に対し、３本の脚体３の位置（向き）や固定箇所をどのように選定してもよく、本実施形態のように限定する必要はない。
【００２２】
しかる後に、双方の支柱２の上端部相互間に図１に示すように親綱９を架設する。その際、上記のように連結金具７としてアイボルトを用いる場合には親綱９をそのアイボルトに対して係止すれば良いが、他の連結金具７を用いた場合には親綱９を支柱２の上端部に対して適宜の金具類を用いて連結するか、あるいは親綱９を支柱２の上端部に直接的に結び付けて連結すれば良い。
これにより、親綱９が軒先の位置を明確に明示する目印となって作業員の墜落防止に寄与し得るものとなり、折板屋根１の屋根面で各種作業を行う際の作業安全性を充分に確保することができる。
【００２３】
なお、本発明の安全設備は、図１（ａ）に示すように支柱２の間に親綱９を架設することのみでも安全確保に寄与し得るが、さらに図１（ｂ）に示すように落下養生用のネット１０を支柱２の間において親綱９により支持して展開した状態で設置し、そのネット１０の下縁部を折板屋根１に対して連結しておくことにより、さらに安全性を向上させることができる。
また、上記実施形態のように少なくとも一組二台の支柱２をたとえば５ｍ程度の間隔をおいてそれらの間に親綱９を架設すれば良いが、親綱９の所要長さが長いような場合（つまり軒先の延長が長いような場合）には、３台以上の多数の支柱２を軒先に沿って適宜の間隔をおいて配列してそれらの間に一連の親綱９を架設すれば良い。
勿論、本実施形態の安全設備は作業終了後には固定金具８を取り外すことのみで支柱２を容易に撤去可能であるし、撤去した支柱２を他の場所や他の作業現場において何度でも繰り返して転用可能である。
【００２４】
図６（ａ）、（ｂ）は本発明の第２実施形態を示すものである。
これは、上記実施形態における支柱２を二台一組として用いてそれら支柱２を腕木２０により連結した支柱架台２１を構成し、少なくとも一対二台の支柱架台２１の間に親綱９を架設するようにしたものである。
【００２５】
すなわち、本第２実施形態における支柱架台２１は、上記実施形態における三脚状の支柱２を構成要素として、その支柱２を二台一組として近接して配置してそれら支柱２の上端部に連結金具７により腕木２０の基端部を取り外し可能に連結した構成としている。つまり、本第２実施形態における支柱架台２１は、全６本の脚体３により構成される二連の三脚状の支柱２により腕木２０を片持ち状態で支持した構成とされているものである。
そして、上記実施形態と同様に脚体３の下端部に形成した下部連結片３ｃを折板屋根１のハゼ部１ａに対して固定金具８を介して取り外し可能に連結して、少なくとも一組二台の支柱架台２１を軒先に沿って所定間隔で設置したうえで、図６（ａ）に示すように腕木２０の先端部相互間に親綱９を架設し、さらに必要に応じて図６（ｂ）に示すように軒先位置にネット１０を親綱９により支持して展開した状態で設置するようにしている。
なお、図示例では腕木２０の先端部に対して親綱９を連結金具７（図示例ではアイボルト）を介して連結しているとともに、支柱架台２１を構成している２台の支柱２の内の軒先側の支柱２と腕木２０とを連結している連結金具７（同）に対しても親綱９を連結しており、したがって親綱９を軒先部に対して二重に架設したものとしている。
【００２６】
本実施形態によれば、各支柱架台２１をそれぞれ２台の支柱２、すなわち全６本の脚体３による二連の三脚状の形態に構成しているので、折板屋根１に対してより確実堅固に設置することができる。
また、腕木２０の長さを充分に長くすれば、支柱架台２１を軒先から充分に離れた位置に設置したうえで親綱９やネット１０を軒先の位置に設置できるので、支柱架台２１の設置作業や撤去作業を軒先から離れた位置において安全に実施することが可能である。
【００２７】
図７、図８、図９は、本発明の折板屋根用の安全設備の第３実施形態を示すものである。
本実施形態の折板屋根用の安全設備は、第１実施形態に対し支柱２の構成を変更したものである。
具体的に、第１実施形態の支柱２の脚体３は、上部連結片３ｂと下部連結片３ｃとの間の本体部３ａ、および下部連結片３ｃに、それぞれ帯板の両側縁部が表面側に折り起こされることによって補剛リブ６が形成されている。
これに対し、本実施形態の支柱２の脚体３は、図７〜図９に示すように、本体部３ａのみに補剛リブ６を設け、下部連結片３ｃに補剛リブ６を設けずに形成されている。
【００２８】
そして、このように下部連結片３ｃに補剛リブ６を設けずに脚体３を形成した場合であっても、第１実施形態で示した支柱２（安全設備）と同様の作用効果を得ることが可能である。
これに加えて、本実施形態においては、下部連結片３ｃに補剛リブ６を設けずに脚体３を形成することで、脚体３の加工が容易になり、脚体３ひいては支柱２、安全設備の製造コストを低減することが可能になる。
【００２９】
以上、本発明による折板屋根用の安全設備の実施形態について説明したが、本発明は上記の第１〜第３実施形態に限定されるものではなく、その趣旨を逸脱しない範囲で適宜変更可能である。
【符号の説明】
【００３０】
１    折板屋根
１ａ  ハゼ部
２    支柱
３    脚体
３ａ  本体部
３ｂ  上部連結片
３ｃ  下部連結片
４    上部連結孔
５    下部連結孔
６    補剛リブ
７    連結金具
８    固定金具
９    親綱
１０  ネット
２０  腕木
２１  支柱架台
【図１】
2014198989.tif 000003
【図２】
2014198989.tif 000004
【図３】
2014198989.tif 000005
【図４】
2014198989.tif 000006
【図５】
2014198989.tif 000007
【図６】
2014198989.tif 000008
【図７】
2014198989.tif 000009
【図８】
2014198989.tif 000010
【図９】
2014198989.tif 000011